(57)【要約】【課題】支持強度確保と左右方向の内法拡大および材料再利用容易などの確保を図る。【解決手段】木質片または合成樹脂片からなる上片２と下片３と左片４および右片５が前面視縦長な四角形の前後方向に貫通する空間６を囲む額縁状の四方枠を構成し、上片２と下片３および左片４よりも板厚の薄い帯板状に構成された右片５の内側には金属製の右骨格片７が付設され、右骨格片７が縦長な帯状本体と帯状本体の前部から右方に突出する右前剛構造部と帯状本体の後方に突出する右後剛構造部とを備え、右後剛構造部がリブ前壁とリブ右壁と収容後壁とを備え、右片が右骨格片の帯状本体と収容前壁と収容後壁とからなる右収容部に収容されかつ右片と右骨格片とが互いに結合される。また、左片４を上片２と下片３および右片５よりも板厚の薄い帯板状に構成し、左片４の内側に上記右骨格片７に類似する金属製の左骨格片６７を付設してもよい。【選択図】図１
2010119834.tif 000002
【特許請求の範囲】
【請求項１】
上片と下片と左片および右片によって前面視縦長な四角形の前後方向に貫通する中央空間を囲む額縁状の四方枠を構成し、上片と下片と左片および右片が木質片または合成樹脂片で構成され、右片が上片と下片および左片よりも板厚さの薄い帯板状に構成され、右片の内側には金属製の右骨格片が設けられ、右骨格片の上部には上片に結合される右上連結金具が設けられ、右骨格片の下部には下片に結合される右下連結金具が設けられ、右骨格片が縦長な帯状本体と帯状本体の前部から右方に突出する右前剛構造部と帯状本体の後方に突出する右後剛構造部とを備え、右後剛構造部がリブ前壁とリブ右壁と収容後壁とを備え、右片が右骨格片の帯状本体と収容前壁と収容後壁とからなる右収容部に収容されかつ右片と右骨格片とが互いに結合されたことを特徴とする遊技機の外枠。
【請求項２】
上片と下片と左片および右片によって前面視縦長な四角形の前後方向に貫通する中央空間を囲む額縁状の四方枠を構成し、上片と下片と左片および右片が木質片または合成樹脂片で構成され、左片が上片と下片および右片よりも板厚の薄い帯板状に構成され、左片の内側には金属製の左骨格片が設けられ、左骨格片の上部には上片に結合される左上連結金具が設けられ、左骨格片の下部には下片に結合される左下連結金具が設けられ、左骨格片が縦長な帯状本体と帯状本体の前部から左方に突出する左前剛構造部と帯状本体の後方に突出する左後剛構造部とを備え、左後剛構造部がリブ前壁とリブ左壁と収容後壁とを備え、左片が左骨格片の帯状本体と収容前壁と収容後壁とからなる左収容部に収容されかつ左片と左骨格片とが互いに結合されたことを特徴とする遊技機の外枠。
【請求項３】
右骨格片が鉄板または鋼板で構成されたことを特徴とする請求項１記載の遊技機の外枠。
【請求項４】
左骨格片が鉄板または鋼板で構成されたことを特徴とする請求項２記載の遊技機の外枠。
【発明の詳細な説明】
【技術分野】
【０００１】
本発明は、支持強度確保と左右方向の内法拡大とが確保できる遊技機の外枠に関する。
【背景技術】
【０００２】
パチンコ遊技機などの遊技機に用いられる外枠には、木材と合成樹脂との混合材料から構成したり（特許文献１参照）、合成樹脂材料からなる四方枠における左右木質片の内側に金属板からなる補強片を付設したり（特許文献２参照）、合成木材から構成したり（特許文献３参照）、木材製の上下木質片と金属製の左右木質片とから構成したり（特許文献４参照）することが知られている。しかしながら、２０ｋｇ程度の重量を有する前枠に対する支持強度確保と左右方向の内法拡大とを確保することが難しいという欠点があった。
【先行技術文献】
【特許文献】
【０００３】
【特許文献１】特開２００２−１１９７１７号公報
【特許文献２】特開２００３−２７５４３２号公報
【特許文献３】特開２００４−９７３９６号公報
【特許文献４】特開２００５−８７５７８号公報
【発明の概要】
【発明が解決しようとする課題】
【０００４】
発明が解決しようとする問題点は支持強度確保と左右方向の内法拡大とを確保することが難しいという点である。
【課題を解決するための手段】
【０００５】
本発明に係る遊技機の外枠は、上片と下片と左片および右片によって前面視縦長な四角形の前後方向に貫通する中央空間を囲む額縁状の四方枠を構成し、上片と下片と左片および右片が木質片または合成樹脂片で構成され、右片が上片と下片および左片よりも板厚の薄い帯板状に構成され、右片の内側には金属製の右骨格片が設けられ、右骨格片の上部には上片に結合される右上連結金具が設けられ、右骨格片の下部には下片に結合される右下連結金具が設けられ、右骨格片が縦長な帯状本体と帯状本体の前部から右方に突出する右前剛構造部と帯状本体の後方に突出する右後剛構造部とを備え、右後剛構造部がリブ前壁とリブ右壁と収容後壁とを備え、右片が右骨格片の帯状本体と収容前壁と収容後壁とからなる右収容部に収容されかつ右片と右骨格片とが互いに結合されるか、または、上片と下片と左片および右片によって前面視縦長な四角形の前後方向に貫通する中央空間を囲む額縁状の四方枠を構成し、上片と下片と左片および右片が木質片または合成樹脂片で構成され、左片が上片と下片および右片よりも板厚の薄い帯板状に構成され、左片の内側には金属製の左骨格片が設けられ、左骨格片の上部には上片に結合される左上連結金具が設けられ、左骨格片の下部には下片に結合される左下連結金具が設けられ、左骨格片が縦長な帯状本体と帯状本体の前部から左方に突出する左前剛構造部と帯状本体の後方に突出する左後剛構造部とを備え、左後剛構造部がリブ前壁とリブ左壁と収容後壁とを備え、左片が左骨格片の帯状本体と収容前壁と収容後壁とからなる左収容部に収容されかつ左片と左骨格片とが互いに結合されたことを最も主要な特徴とする。本発明に係る遊技機の外枠の場合、右骨格片または左骨格片が鉄板または鋼板で構成されてもよい。
【発明の効果】
【０００６】
本発明に係る遊技機の外枠は、右片が上片と下片および左片よりも板厚の薄い帯板状に構成され、右片の内側には金属製の右骨格片が設けられ、右骨格片が縦長な帯状本体と帯状本体の前部から右方に突出する右前剛構造部と帯状本体の後方に突出する右後剛構造部とを備え、右後剛構造部がリブ前壁とリブ右壁と収容後壁とを備え、右片が右骨格片の帯状本体と収容前壁と収容後壁とからなる右収容部に収容されかつ右片と右骨格片とが互いに結合されるか、または、左片が上片と下片および右片よりも板厚の薄い帯板状に構成され、左片の内側には金属製の左骨格片が設けられ、左骨格片が縦長な帯状本体と帯状本体の前部から左方に突出する左前剛構造部と帯状本体の後方に突出する左後剛構造部とを備え、左後剛構造部がリブ前壁とリブ左壁と収容後壁とを備え、左片が左骨格片の帯状本体と収容前壁と収容後壁とからなる左収容部に収容されかつ左片と左骨格片とが互いに結合されたことによって、前枠に対する支持強度が確保され、外枠の左右方向の外法を従来と同じ寸法に設定することによって、外枠の左右方向の内法が拡大されるという利点がある。右骨格片または左骨格片が鉄板または鋼板で構成されれば、外枠としての使用終了後には、木質材または合成樹脂と鉄材または鋼材とに分別して、材料の再利用が容易になるという利点がある。
【図面の簡単な説明】
【０００７】
【図１】実施の形態１に係る外枠を斜め後方から示す分解斜視図。
【図２】ａ図は実施の形態１に係る右木質片と右骨格片と螺子とを示す分解斜視図。ｂ図は実施の形態１に係る右木質片と右骨格片とを螺子で結合した組立斜視図。
【図３】実施の形態１に係る上木質片を除去した外枠の平面図。
【図４】実施の形態１に係る外枠を斜め後方から示す組立斜視図。
【図５】実施の形態２に係る外枠を斜め後方から示す分解斜視図。
【図６】ａ図は実施の形態２に係る左木質片と左骨格片と螺子とを示す分解斜視図。ｂ図は実施の形態２に係る左木質片と左骨格片とを螺子で結合した組立斜視図。
【図７】実施の形態２に係る上木質片を除去した外枠の平面図。
【図８】実施の形態２に係る外枠を斜め前方から示す組立斜視図。
【図９】図８のＡ−Ａ線断面図。
【図１０】ａ図乃至ｃ図は実施の形態３に係る右骨格片の右前剛構造部を示す平面図。
【図１１】ａ図およびｂ図は実施の形態４に係る右骨格片の左後剛構造部を示す平面図。
【図１２】ａ図は実施の形態５に係る右骨格片を示す斜視図、ｂ図は実施の形態５に係る左骨格片を示す斜視図。
【図１３】実施の形態６に係る上木質片を除去した外枠の平面図。
【図１４】実施の形態７に係る右骨格片の右前剛構造部を示す平面図。
【図１５】ａ図は実施の形態８に係る右骨格片を示す斜視図、ｂ図は実施の形態８に係る左骨格片を示す斜視図。
【図１６】図１５のb図の右骨格片のA−A線断面図。
【図１７】図１５のb図の右骨格片のB−B線断面図。
【発明を実施するための形態】
【０００８】
発明を実施するための形態にあっては、上片と下片と左片および右片は木質片または合成樹脂片で構成すればよいが、上片と下片と左片および右片を木質片で構成した場合を例示した。よって、図１に示すように、上片を上木質片２と称し、下片を下木質片３と称し、左片を左木質片４と称し、右片を右木質片５と称する。また、右骨格片７、左上連結金具８、外枠上ヒンジ９、左下連結金具１０、右上連結金具１１、右下連結金具１９、ロック受金具３４、外枠下ヒンジ３５、受金具４１、螺子類は、アルミニウムまたはアルミニウム合金またはマグネシウム合金、または、鉄板または鋼板などの金属で構成してもよいが、鉄板または鋼板で構成した場合を例示した。
【０００９】
本明細書における「前」、「後」、「左」、「右」、「上」、「下」の方向は、図４の状態に外枠１を置いて矢印Ｓで示す前側から見た場合に特定される方向である。
【００１０】
「実施の形態１」
図１を参照し、外枠１について説明する。外枠１は、図外の遊技店の遊技機設置構造体に取り付けられるものであって、上木質片２、下木質片３、左木質片４、右木質片５を備える。上木質片２、下木質片３、左木質片４、右木質片５が互いに組み合わせられて、前面視縦長な四角形の前後方向に貫通する中央空間６を囲む額縁状の四方枠を構成する。上木質片２、下木質片３、左木質片４、右木質片５などの４本の木質片は、自然木材または加工木材によって帯板状に形成された構成である。自然木材としては、例えば、ラバーウッド、ラワンなどがある。加工木材としては、例えば、合板、集成材、木質系ボードなどがある。木質系ボードには、木質繊維を紙のように抄いて常温乾燥したインシュレーションボード（ファイバーボードとも呼ばれる）、木質繊維を紙のように抄いてフェノール樹脂などの樹脂材を加えて圧熱成形したハードボード（ファイバーボードとも呼ばれる）、木質繊維に接着剤を加えて圧熱成形したＭＤＦ（ファイバーボードとも呼ばれる）、木材の砕かれた小片に接着剤を加えて高温高圧成形したパーティクルボード、木材の挽材からなる心材に木材からなる表裏材を張ったランバーコア（挽材心合板またはコーアボードとも呼ばれる）、薄く細長い木片に方向性与えて直交させ接着剤で圧縮成形したＯＢＳ（配向性ボートとも呼ばれる）、木材からなる細長い単板の方向性を揃えて成形したＰＬＳ（パララムとも呼ばれる）、ＯＢＳと同じ材質を用いたＷＢ（ウエハーボードとも呼ばれる）などがある。最良の形態では、上木質片２、下木質片３、左木質片４、右木質片５としては、ラバーウッドからなる集成材を使用した。また、上木質片２および下木質片３としてはラバーウッドからなる集成材を使用し、左木質片４、右木質片５としてはパーティクルボードを使用してもよい。とりわけ、上木質片２、下木質片３、左木質片４、右木質片５の素材として、ゴムの採取された後のラバーウッドを使用すれば、環境対策に貢献できるという利点がある。
【００１１】
上木質片２の上下方向の厚さつまり上木質片２の板厚ｔ２と、下木質片３の上下方向の厚さつまり下木質片３の板厚ｔ３と、左木質片４の左右方向の厚さつまり左木質片４の板厚ｔ４とは、同じ厚さで、例えば、１９ｍｍである。これに対し、右木質片５の左右方向の厚さつまり右木質片５の板厚ｔ５は、例えば、６ｍｍである。つまり、右木質片５は、上木質片２と下木質片３および左木質片４よりも板厚の薄い帯板状に構成される。また、上木質片２の前後方向の幅つまり上木質片２の前後幅Ｔ２と左木質片４の前後方向の幅つまり左木質片４の前後幅Ｔ４とは、同じ幅で、例えば、７０ｍｍである。これに対し、右木質片５の前後方向の幅つまり右木質片５の前後幅Ｔ５は、例えば、５２ｍｍである。つまり、右木質片５の前後幅Ｔ５は、上木質片２の前後幅Ｔ２と左木質片４の前後幅Ｔ４よりも小さい。右木質片５の内側には、右骨格片７が付設される。右木質片５と右骨格片７とが互いに結合される構造は、図２で後述する。
【００１２】
四方枠の左上部では、左上連結金具８が上木質片２と左木質片４との内側にあてがわれ、外枠上ヒンジ９が上木質片２と左木質片４との外側にあてがわれ、図外の鉄製のボルトなどの螺子が外側から外枠上ヒンジ９および上木質片２または左木質片４を経由して左上連結金具８に締結されて、上木質片２と左木質片４とが四方枠の左上隅部を直角に構成しかつ互いに連結される。
【００１３】
四方枠の左下部では、左下連結金具１０が下木質片３と左木質片４との内側にあてがわれ、図外の鉄製のボルトなどの螺子が外側から下木質片３または左木質片４を経由して左下連結金具１０に締結されて、下木質片３と左木質片４とが四方枠の左下隅部を直角に構成しかつ互いに連結される。
【００１４】
四方枠の右上部では、右上連結金具１１が上木質片２と右骨格片７との内側にあてがわれ、鉄製のボルトなどの螺子１２が外側から上木質片２に設けられた貫通孔１３を経由して右上連結金具１１に設けられたねじ孔１４に締結され、鉄製のボルトなどの螺子１５が外側から右木質片５に設けられた貫通孔１６と右骨格片７に設けられた貫通孔１７とを経由して右上連結金具１１に設けられたねじ孔１８に締結されて、上木質片２と右木質片４と右骨格片７とが四方枠の左上隅部を直角に構成しかつ互いに連結される。
【００１５】
四方枠の右下部では、右下連結金具１９が下木質片３と右骨格片７との内側にあてがわれ、鉄製のボルトなどの螺子２０が外側から右木質片５に設けられた貫通孔２１と右骨格片７に設けられた貫通孔２２とを経由して右下連結金具１９に設けられたねじ孔２３に締結され、鉄製のボルトなどの螺子２４が外側から下木質片３に設けられた貫通孔２５を経由して右下連結金具１９に設けられたねじ孔２６に締結されて、下木質片３と右木質片５と右骨格片７とが四方枠の右下隅部を直角に構成しかつ互いに連結される。
【００１６】
右上連結金具１１は、外枠１にあてがわれるよりも以前において、右骨格片７に溶接またはリベットで結合されていてもよい。その場合、貫通孔１７とねじ孔１８とが同軸となるように位置を合わせられることは必要である。右下連結金具１９は、外枠１にあてがわれるよりも以前において、右骨格片７に溶接またはリベットで結合されていてもよい。その場合、貫通孔２２とねじ孔２３とが同軸となるように位置を合わせられることは必要である。
【００１７】
四方枠の下前部には、前片２７が付設される。前片２７は、材料再利用容易の観点から木質で構成されるのが好ましいが、合成樹脂または鉄板または鋼板などから構成されてもよい。前片２７が外枠１に組み付けられる場合、前片２７の下面が前方から下木質片３の上面に接触して搭載され、前片２７の左部に設けられた凹部２８が右木質片４の前面および右面にあてがわれ、前片２７の右部に設けられた凹部２９が右骨格片７に設けられた前突壁３０と合わせ壁３１との連結前面および合わせ壁３１の左面にあてがわれる。そして、図外の鉄製の木ねじなどの螺子が後方から左下連結金具１０を経由して前片２７に締結され、鉄製の木ねじなどの螺子３２が後方から右下連結金具１９に設けられた貫通孔３３を経由して前片２７に締結される。また、図外の鉄製の木ねじなどの螺子が外側から下木質片３を経由して前片２７に締結される。これによって、前片２７が外枠１に組み付けられる。
【００１８】
右骨格片７には、ロック受金具３４が上下に分かれて固定される。ロック受金具３４は、図外の前枠に設けられたロック機構（特開２００６−１１８１５１号公報参照）のロックレバーを係合することによって、前枠を左側に位置する外枠上ヒンジ９および外枠下ヒンジ３５からなるヒンジを中心として開閉しないように外枠１に支持する部材である。
【００１９】
左木質片４と前片２７との合わせられた左部分には、外枠下ヒンジ３５が設けられる。外枠下ヒンジ３５は、次のように取り付けられる。外枠下ヒンジ３５が前片２７の左部の上面に接触して搭載され、鉄製の木ねじなどの螺子３６が後方から外枠下ヒンジ３５に設けられた貫通孔３７を経由して前片２７に締結され、鉄製のボルトなどの螺子３８が外側から左木質片４に設けられた貫通孔３９を経由して外枠下ヒンジ３５に設けられたねじ孔４０に締結される。
【００２０】
左木質片４と前片２７との合わせられた右部分には、受金具４１が設けられる。受金具４１は、支持片４２、支持片４２の後縁部から下方に直角に突出した後取付片４３、支持片４２の右縁部から上方に直角に突出した右前取付片４４、後取付片４３の右縁部から後方に直角に突出した右後取付片４５を備える。
【００２１】
受金具４１は、次のように取り付けられる。支持片４２が前片２７の右部の上面に接触して搭載され、鉄製の木ねじなどの螺子４６が後取付片４３に設けられた貫通孔４７を経由して前片２７に締結され、鉄製のボルトなどの螺子４８が右前取付片４４に設けられた貫通孔４９を経由して右骨格片７の合わせ壁３１および前突壁３０に渡り設けられたねじ孔５０に締結され、鉄製のボルトなどの螺子５１が右後取付片４５に設けられた貫通孔５２を経由して右骨格片７の帯状本体５７に設けられたねじ孔５３に締結される。左木質片４と右骨格片７とが互いに結合される以前において、右前取付片４４、右後取付片４５は、右骨格片７に溶接またはリベットなどで固定されてもよい。
【００２２】
このように外枠下ヒンジ３５が左木質片４と前片２７との合わせられた左部分に設けられ、受金具４１が右木質片５および右骨格片７と前片２７との合わせられた右部分に設けられたことによって、四方枠の形を保つという外枠１の形状保持性能が向上するという利点がある。図外の前枠が外枠上ヒンジ９および外枠下ヒンジ３５からなるヒンジを中心として開閉する場合に、受金具４１の支持片４２が前枠の右下部を下から支えて、前枠が外枠１に対する適切な姿勢で開閉されるという利点がある。
【００２３】
上木質片２には、逃げ部５４および釘孔５５が設けられる。逃げ部５４は、外枠１が遊技機設置構造体に取り付けられる場合、遊技機設置構造体の付帯設備を逃げる部分である。付帯設備としては、例えば、補給機構から外枠１の側に供給する球をカウントする計数機構である。釘孔５５は、外枠１が遊技機設置構造体に取り付けられる場合に、中央空間６から遊技機設置構造体の上框に打ち込まれる釘を通す孔である。下木質片３には、釘孔５６が設けられる。釘孔５６は、外枠１が遊技機設置構造体に取り付けられる場合に、中央空間６から遊技機設置構造体の下框に打ち込まれる釘を通す孔である。
【００２４】
図２のａ図を参照し、右骨格片７について説明する。右骨格片７には、次の数値に限定されるものではないが、例えば、１．６ｍｍの板厚を有する鉄板または鋼板で構成される。右骨格片７は、縦長な帯状本体５７を備える。帯状本体５７は、上木質片２（図１参照）と下木質片３（図１参照）との間に入る上下方向の縦幅を有する。帯状本体５７の前部には、収容前壁５８が帯状本体５７から右方に直角に突出する。収容前壁５８の前部には前突壁３０と合わせ壁３１とからなる右前剛構造部が設けられる。つまり、収容前壁５８の右部には、前突壁３０が収容前壁５８から前方に直角に突出する。前突壁３０の前部には、合わせ壁３１が前突壁３０から後方に１８０°折り返されて前突壁３０の左面に重ね合わせられる。
【００２５】
帯状本体５７の後部には、リブ前壁５９とリブ右壁６０と収容後壁６１とからなる右後剛構造部が設けられる。つまり、帯状本体５７の後部には、リブ前壁５９が帯状本体５７から左方に直角に突出する。リブ前壁５９の左部には、リブ右壁６０がリブ前壁５９から後方に直角に突出する。リブ右壁６０の後部には、収容後壁６１がリブ右壁６０から右方に直角に突出する。帯状本体５７と収容前壁５８と収容後壁６１とが、上下方向および右方向に開放された木片収容部６２を形成する。帯状本体５７には、ねじ孔６３が左右方向に貫通しかつ上下に分かれて設けられる。
【００２６】
図２および図３を参照し、右木質片５と右骨格片７との結合について説明する。図２のａ図において、右木質片５が右骨格片７の右方から木片収容部６２に収容され、鉄製の皿頭を有するボルトなどの螺子６４が右木質片５に設けられた貫通孔６５を経由してねじ孔６３に締結され、螺子６４の皿頭が貫通孔６２の皿孔に収容されて右木質片５よりも右方に突出せず、右木質片５と右骨格片７とが互いに結合される。
【００２７】
図３に示すように、右木質片５と右骨格片７とが互いに結合された場合、右木質片５の左面と木片収容部６２の右面とが互いに接触し、右木質片５の前面と収容前壁５８の後面とが互いに接触し、右木質片５の後面と収容後壁６１の前面とが互い互いに接触し、右木質片５とリブ前壁５９とリブ右壁６０と収容後壁６１とで囲まれる縦空間６６が形成される。この結果、図２のｂ図において、例えば、右骨格片７の上部が矢印Ｗ１で示す右方向に回転し、右骨格片７の下部が矢印Ｗ２で示す左方向に回転するというように、右骨格片７の上部と下部とが互いに平面内で逆向きに回転するように、縦長な右骨格片７に捩れが加わった場合、右木質片５が木片収容部６２の内部で突っ張ることから、縦長な右骨格片７の捩れが防止されるという利点がある。
【００２８】
図２における右木質片５と右骨格片７とが螺子６４で互いに結合されることに代わり、図示は省略したが、右木質片５と右骨格片７とが接着剤で互いに結合されたり、または、右骨格片７の木片収容部６２を構成する帯状本体５７と収容前壁５８と収容後壁６１とのいずれかに突片を設け、右木質片５が木片収容部６２に収容された後に上記突片を木片収容部６２の側に曲折して右木質片５と右骨格片７とを互いに結合されたりしてもよい。
【００２９】
図３に示すように、前片２７の凹部２８が右木質片４の前面および右面にあてがわれ、前片２７の凹部２９が右骨格片７における前突壁３０と合わせ壁３１との連結前面および合わせ壁３１の左面にあてがわれたことによって、四方枠の形を保つという外枠１の形状保持性能が向上するという利点がある。
【００３０】
以上のように、図１に示す上木質片２、下木質片３、左木質片４、右木質片５、中央空間６、右骨格片７、左上連結金具８、外枠上ヒンジ９、左下連結金具１０、右上連結金具１１、右下連結金具１９、前片２７、ロック受金具３４、外枠下ヒンジ３５、受金具４１などの各構成部材が互いに組み合わせられることによって、外枠１の右片だけが右木質片５と右骨格片７とからなる外枠１が図４に示す形状に構成される。
【００３１】
図４において、例えば、矢印Ｙ１で示す斜め上方からの外力が外枠１の右上隅部に加えられた場合、右骨格片７における前突壁３０（図３参照）と合わせ壁３１とからなる右前剛構造部、右骨格片７におけるリブ前壁５９（図３参照）とリブ右壁６０と収容後壁６１とからなる右後剛構造部、右木質片５が右骨格片７の左収容部６６に入れ込まれかつ右木質片５と右骨格片７とが互いに結合された構造、右上連結金具１１が外枠１の右上隅部で上木質片２と右骨格片７や右木質片５に結合された構造、右下連結金具１９が外枠１の右下隅部で下木質片３と右骨格片７や右木質片５に結合された構造の相互作用によって、外枠１が左右に傾くことがないように、外枠１としての額縁状の四方枠なる形状が確保されるという利点がある。
【００３２】
右木質片５と右骨格片７とが互いに結合されて外枠１の右片を構成したので、外枠１の左右方向の外法を従来と同じ寸法に設定し、右木質片５と右骨格片７との結合された左右方向の厚さが従来の左木質片だけの場合よりも１／３程度に薄く構成することができ、このように右木質片５と右骨格片７との結合された左右方向の厚さを薄く構成することによって、外枠１の左右方向の内法が拡大されるという利点がある。また、上木質片２、下木質片３、左木質片４、右木質片５がラバーウッドで構成されているので、上片、下片、左片および右片を合成樹脂で構成した場合よりも、上木質片２、下木質片３、左木質片４、右木質片５が軽量になるという利点がある。しかも、右骨格片７が鉄板または鋼板で構成されているので、外枠１としての使用終了後には、木質材と鉄材または鋼材とに分別して、材料の再利用が容易になるという利点がある。またも、左上連結金具８、外枠上ヒンジ９、左下連結金具１０、右上連結金具１１、右下連結金具１９、ロック受金具３４、外枠下ヒンジ３５、受金具４１、螺子類なども鉄板または鋼板で構成されているので、外枠１としての使用終了後には、木質材と鉄材または鋼材とに分別して、材料の再利用がさらに容易になるという利点がある。右木質片５と右骨格片７とが互いに結合されているので、外枠１の外側から釘のような金属部材を右木質片５に挿入しても、右骨格片７が金属部材を受け止め、右骨格片７のそれ以上の進入が阻止され、不正防止が図れるという利点がある。
【００３３】
「実施の形態２」
実施の形態２は、左木質片４と左骨格片６７とが互いに結合されて外枠１の左片を構成した特長を有する。
【００３４】
以下、実施の形態２が実施の形態１と異なる事項について説明する。図５では、上木質片２の板厚ｔ２と、下木質片３の板厚ｔ３と、右木質片５の板厚ｔ５とは、同じ厚さで、例えば、１９ｍｍである。これに対し、左木質片４の板厚ｔ４は、例えば、６ｍｍである。つまり、左木質片４は、上木質片２と下木質片３および右木質片５４よりも板厚の薄い帯板状に構成される。
【００３５】
また、上木質片２の前後幅Ｔ２と右木質片５の前後幅Ｔ５とは、同じ幅で、例えば、７０ｍｍである。これに対し、左木質片４の前後幅Ｔ４は、例えば、５２ｍｍである。つまり、左木質片４の前後幅Ｔ４は、上木質片２の前後幅Ｔ２と右木質片５の前後幅Ｔ５よりも小さい。左木質片４の内側には、鉄板または鋼板からなる左骨格片６７が付設される。左木質片４と左骨格片６７とが互いに結合される構造は、図６で後述する。
【００３６】
四方枠の左上部では、左上連結金具８が上木質片２と左骨格片６７との内側にあてがわれ、外枠上ヒンジ９が上木質片２と左木質片４との外側にあてがわれ、鉄製のボルトなどの螺子６８が外側から外枠上ヒンジ９に設けられた貫通孔６９と上木質片２と左骨格片６７に設けられた貫通孔７０とを経由して左上連結金具８に設けられたねじ孔７１に締結され、鉄製のボルトなどの螺子７２が外側から外枠上ヒンジ９に設けられた貫通孔７３および上木質片２を経由して右下連結金具１９に設けられたねじ孔７４に締結されて、上木質片２と左木質片４と左骨格片６７とが四方枠の左上隅部を直角に構成しかつ互いに連結される。
【００３７】
四方枠の左下部では、左下連結金具１０が下木質片３と左骨格片６７との内側にあてがわれ、鉄製のボルトなどの螺子７５が外側から左木質片４に設けられた貫通孔７６と左骨格片６７に設けられた貫通孔７７とを経由して左下連結金具１０に設けられたねじ孔７８に締結され、鉄製のボルトなどの螺子７９が外側から下木質片３に設けられた貫通孔８０を経由して左下連結金具１０に設けられたねじ孔８１に締結されて、下木質片３と左木質片４と左骨格片６７とが四方枠の左下隅部を直角に構成しかつ互いに連結される。
【００３８】
四方枠の右上部では、右上連結金具１１が上木質片２と右木質片５との内側にあてがわれ、図外の鉄製のボルトなどの螺子が外側から上木質片２または右木質片５を経由して右上連結金具１１に締結されて、上木質片２と右木質片４とが四方枠の左上隅部を直角に構成しかつ互いに連結される。
【００３９】
四方枠の右下部では、右下連結金具１９が下木質片３と右木質片５との内側にあてがわれ、図外の鉄製のボルトなどの螺子が外側から下木質片３または右木質片５を経由して右下連結金具１９に締結されて、下木質片３と右木質片５とが四方枠の右下隅部を直角に構成しかつ互いに連結される。
【００４０】
左上連結金具８は、外枠１にあてがわれるよりも以前において、左骨格片６７に溶接またはリベットで結合されていてもよい。その場合、貫通孔７０とねじ孔７１とが同軸となるように位置を合わせられることは必要である。左下連結金具１０は、外枠１にあてがわれるよりも以前において、左骨格片６７に溶接またはリベットで結合されていてもよい。その場合、貫通孔７７とねじ孔７８とが同軸となるように位置を合わせられることは必要である。
【００４１】
前片２７の下面が前方から下木質片３の上面に接触して搭載され、前片２７の凹部２８が左骨格片６７に設けられた前突壁８２と合わせ壁８３との連結前面および合わせ壁８３の右面にあてがわれ、前片２７の右部に設けられた凹部２９が左木質片５の前面および右面にあてがわれる。そして、螺子３２が後方から右下連結金具１９の貫通孔３３を経由して前片２７に締結され、鉄製の木ねじなどの螺子８４が後方から左下連結金具１０に設けられた貫通孔８５を経由して前片２７に締結される。また、図外の木ねじが外側から下木質片３を経由して前片２７に締結される。これによって、前片２７が外枠１に組み付けられる。ロック受金具３４は、右木質片５に上下に分かれて固定される。外枠下ヒンジ３５が外枠１に取り付けられる場合、螺子３８が左木質片４の貫通孔３９および左骨格片６７に設けられた貫通孔８６を経由して外枠下ヒンジ３５のねじ孔４０に締結される。受金具４１は、右木質片５と前片２７とに取り付けられる。
【００４２】
図６のａ図を参照し、左骨格片６７について説明する。左骨格片６７には、次の数値に限定されるものではないが、例えば、１．６ｍｍの板厚を有する鉄板または鋼板で構成される。左骨格片６７は、縦長な帯状本体８８を備える。帯状本体８８は、上木質片２（図４参照）と下木質片３（図４参照）との間に入る上下方向の縦幅を有する。帯状本体８８の前部には、収容前壁８９が帯状本体８８から左方に直角に突出する。収容前壁８９の前部には前突壁８２と合わせ壁８３とからなる右前剛構造部が設けられる。つまり、収容前壁８９の右部には、前突壁８２が収容前壁８９から前方に直角に突出する。前突壁８２の前部には、合わせ壁８３が前突壁８２から後方に１８０°折り返されて前突壁８２の右面に重ね合わせられる。
【００４３】
帯状本体８８の後部には、リブ前壁９０とリブ左壁９１と収容後壁９２とからなる左後剛構造部が設けられる。つまり、帯状本体８８の後部には、リブ前壁９０が帯状本体８８から右方に直角に突出する。リブ前壁９０の右部には、リブ左壁９１がリブ前壁９０から後方に直角に突出する。リブ左壁９１の後部には、収容後壁９２がリブ左壁９１から左方に直角に突出する。帯状本体８８と収容前壁８９と収容後壁９２とが、上下方向および左方向に開放された木片収容部９３を形成する。帯状本体８８には、ねじ孔９４が左右方向に貫通しかつ上下に分かれて設けられる。
【００４４】
図６および図７を参照し、左木質片４と左骨格片６７との結合について説明する。図６のａ図において、左木質片４が左骨格片６７の左方から木片収容部９３に収容され、鉄製の皿頭を有するボルトなどの螺子９５が左木質片４に設けられた貫通孔９６を経由してねじ孔９４に締結され、螺子９５の皿頭が貫通孔６２の皿孔に収容されて左木質片４よりも右方に突出せず、左木質片４と左骨格片６７とが互いに結合される。
【００４５】
図７に示すように、左木質片４と左骨格片６７とが互いに結合された場合、左木質片４の右面と木片収容部９３の左面とが互いに接触し、左木質片４の前面と収容前壁８９の後面とが互いに接触し、左木質片４の後面と収容後壁９２の前面とが互い互いに接触し、左木質片４とリブ前壁９０とリブ左壁９１と収容後壁９２とで囲まれる縦空間９７が形成される。この結果、図６のｂ図において、例えば、左骨格片６７の上部が矢印Ｗ３で示す右方向に回転し、左骨格片６７の下部が矢印Ｗ４で示す左方向に回転するというように、左骨格片６７の上部と下部とが互いに平面内で逆向きに回転するように、縦長な左骨格片６７に捩れが加わった場合、左木質片４が木片収容部９３の内部で突っ張ることから、縦長な左骨格片６７の捩れが防止されるという利点がある。
【００４６】
図７に示すように、前片２７の凹部２８が左骨格片６７における前突壁８２と合わせ壁８３との連結前面および合わせ壁８３の左面にあてがわれ、前片２７の凹部２９が左木質片５の前面および右面にあてがわれたことによって、四方枠の形を保つという外枠１の形状保持性能が向上するという利点がある。
【００４７】
図６における左木質片４と左骨格片６７とが螺子６４で互いに結合されることに代わり、図示は省略したが、左木質片４と左骨格片６７とが接着剤で互いに結合されたり、または、左骨格片６７の木片収容部９３を構成する帯状本体８８と収容前壁８９と収容後壁９２とのいずれかに突片を設け、左木質片４が木片収容部９３に収容された後に上記突片を木片収容部９３の側に曲折して左木質片４と左骨格片６７とを互いに結合されたりしてもよい。
【００４８】
以上のように、図５に示す上木質片２、下木質片３、左木質片４、右木質片５、中央空間６、左上連結金具８、外枠上ヒンジ９、左下連結金具１０、右上連結金具１１、右下連結金具１９、前片２７、ロック受金具３４、外枠下ヒンジ３５、受金具４１、左骨格片６７などの各構成部材が互いに組み合わせられることによって、外枠１の左片だけが左木質片４と左骨格片６７とからなる外枠１が図８に示す形状に構成される。
【００４９】
図８および図９に示すように、上木質片２の前部には、受容部９８が設けられることによって、図外の前枠が閉じられた場合、前枠の上部が受容部９８に収容される。そして、不正操作具が前枠と外枠１との隙間に挿入されても受容部９８の縦辺部に衝突し、不正操作具のそれ以上の進入が阻止され、不正防止が図れるという利点がある。
【００５０】
「実施の形態３」
図１０のａ図では、右骨格片７の右前剛構造部が合わせ壁３１を前突壁３０から後方に弧状に湾曲させた平面視丸筒状に形成される。図１０のｂ図では、右骨格片７の右前剛構造部が合わせ壁４７を前突壁３０から後方に角状に曲折させた平面視角筒状に形成される。図１０のｃ図では、右骨格片７の右前剛構造部において、補強片９９が合わせ壁３１の後縁部から左方に直角に突出する。
【００５１】
「実施の形態４」
図１１のａ図では、右骨格片７の左後剛構造部がリブ右壁６０をリブ前壁５９と収容後壁６１とをつなぐ弧状に湾曲させた平面視半円形筒状に形成される。図１１のｂ図では、右骨格片７の左後剛構造部において、リブ右壁６０に凹凸部１００が形成されれば、リブ右壁６０の曲げに対する強度が向上するという利点がある。
【００５２】
図１０および図１１では右骨格片７を例として説明したが、図１０および図１１の右骨格片７を図７の左骨格片６７と読み替え、図１０および図１１の前突壁３０を図７の前突壁と読み替え、図１０および図１１の合わせ壁３１を図７の合わせ壁８３と読み替え、図１０および図１１のリブ前壁５９、リブ右壁６０、収容後壁６１を図７のリブ前壁９０、リブ左壁９１、収容後壁９２とそれぞれ読み替えることによって、図１０および図１１で開示した形態を図７で開示した左骨格片６７にも適用できる。
【００５３】
「実施の形態５」
図１２のａ図では、右上連結金具１１と右下連結金具１９とが右骨格片７に一体に構成される。例えば、右骨格片７を図２の右骨格片７よりも上下方向に長く形成し、当該長い右骨格片７の上部を内側に直角に折り曲げて右上連結金具１１と成し、当該長い右骨格片７の下部を内側に直角に折り曲げて右下連結金具１９と成した形態である。
【００５４】
図１２のｂ図では、左上連結金具８と左下連結金具１０とが左骨格片６７に一体に構成される。例えば左骨格片６７を図６の左骨格片６７よりも上下方向に長く形成し、当該長い左骨格片６７の上部を内側に直角に折り曲げて左上連結金具８と成し、当該長い左骨格片６７の下部を内側に直角に折り曲げて左下連結金具１０と成した形態である。
【００５５】
「実施の形態６」
図１３では、右木質片５と右骨格片７とが螺子６４で結合されたことによって、右木質片５が収容後壁６１と重なり合うことがないように、収容後壁６１の左右方向の幅が短く形成された形態である。よって、右骨格片７の上部と下部とが互いに平面内で逆向きに回転するように、縦長な右骨格片７に捩れが加わった場合でも、右木質片５が螺子６４と収容前壁５８との間で突っ張って、縦長な右骨格片７の捩れが防止されるという利点がある。図１３の右木質片５を図７の左木質片４と読み替え、図１３の右骨格片７を図７の左骨格片６７と読み替えることによって、図１３に示す第５の形態を図７に示す異なる第１の形態に適用してもよい。
【００５６】
「実施の形態７」
図１４では、右骨格片７をアルミニウムまたはアルミニウム合金またはマグネシウム合金などのような軽金属で構成する場合に、合わせ壁３１を１８０°折り返えすことなく、前突壁３０と合わせ壁３１とが一体に形成された形態になっている。図１４の右骨格片７を図７の左骨格片６７と読み替え、図１４の前突壁３０を図７の前突壁８２と読み替え、図１４の合わせ壁３１を図７の合わせ壁８３読み替えることによって、図１４に示す第６の形態を図７に示す異なる第１の形態に適用してもよい。
【００５７】
「実施の形態８」
図１５のａ図では、リブ１０１；１０２が右骨格片７の帯状本体５７に設けられて帯状本体５７を補強し、リブ１０３が帯状本体５７と右上連結金具１１とわたって設けられて帯状本体５７と右上連結金具１１との隅部を補強し、リブ１０４が帯状本体５７と右下連結金具１９とにわたって設けられて帯状本体５７と右下連結金具１９との隅部を補強した形態である。例えば、リブ１０１は、側面から見た場合に縦長な六角形になっていて、帯状本体５７の外側から内側に突出した構成である。複数のリブ１０１は、上下に互いに離れて一列に配置される。リブ１０２は、側面から見た場合に縦長な三角形になっていて、帯状本体５７の内側から外側に突出した構成である。１対のリブ１０２が、上下に離れた２つのリブ１０１の間のそれぞれに配置される。これら１対のリブ１０２は、三角形の頂点を向き合わせかつ三角形の底辺を平行に向き合わせた態様になっている。リブ１０３は、帯状本体５７の外側から内側及び右上連結金具１１の外側から内側に突出した構成である。リブ１０４は、帯状本体５７の外側から内側及び右下連結金具１９の外側から内側に突出した構成である。
【００５８】
図１５のｂ図では、リブ１０５；１０６が左骨格片６７の帯状本体８８に設けられて帯状本体８８を補強し、リブ１０７が帯状本体８８と左上連結金具８とわたって設けられて帯状本体８８と左上連結金具８との隅部を補強し、リブ１０８が帯状本体８８と左下連結金具１０とにわたって設けられて帯状本体８８と左下連結金具１０との隅部を補強した形態である。例えば、リブ１０５は、側面から見た場合に縦長な六角形になっていて、図１６にも示すように、帯状本体８８の外側から内側に突出した構成である。図１５のｂ図に戻り、複数のリブ１０５は、上下に互いに離れて一列に配置されている。リブ１０６は、側面から見た場合に縦長な三角形になっていて、帯状本体８８の内側から外側に突出した構成である。１対のリブ１０６が、上下に離れた２つのリブ１０５の間のそれぞれに配置される。これら１対のリブ１０６は、三角形の頂点を向き合わせかつ三角形の底辺を平行に向き合わせた態様になっている。リブ１０７は、図１７にも示すように、帯状本体８８の外側から内側及び左上連結金具８の外側から内側に突出した構成である。図１５のｂ図に戻り、リブ１０８は、帯状本体８８の外側から内側及び左下連結金具１０の外側から内側に突出した構成である。
【符号の説明】
【００５９】
１は外枠、２は上木質片、３は下木質片、４は左木質片、５は右木質片、６は空間、７は右骨格片、８は左上連結金具、９は外枠上ヒンジ、１０は左下連結金具、１１は右上連結金具、１２は螺子、１３は貫通孔、１４はねじ孔、１５は螺子、１６は貫通孔、１７は貫通孔、１８はねじ孔、１９は右下連結金具、２０は螺子、２１は貫通孔、２２は貫通孔、２３はねじ孔、２４は螺子、２５は貫通孔、２６はねじ孔、２７は前片、２８は凹部、２９は凹部、３０は前突壁、３１は合わせ壁、３２は螺子、３３は貫通孔、３４はロック受金具、３５は外枠下ヒンジ、３６は螺子、３７は貫通孔、３８は螺子、３９は貫通孔、４０はねじ孔、４１は受金具、４２は支持片、４３は後取付片、４４は右前取付片、４５は右後取付片、４６は螺子、４７は貫通孔、４８は螺子、４９は貫通孔、５０はねじ孔、５１は螺子、５２は貫通孔、５３はねじ孔、５４は逃げ部、５１；５６は釘孔、５７は帯状本体、５８は収容前壁、５９はリブ前壁、６０はリブ右壁、６１は収容後壁、６２は木片収容部、６３はねじ孔、６４は螺子、６５は貫通孔、６６は縦空間、６７は左骨格片、６８は螺子、６９は貫通孔、７０は貫通孔、７１はねじ孔、７２は螺子、７３は貫通孔、７４はねじ孔、７５は螺子、７６；７７は貫通孔、７８はねじ孔、７９は螺子、８０は貫通孔、８１はねじ孔、８２は前突壁、８３は合わせ壁、８４は螺子、８５；８６は貫通孔、８７は欠番、８８は帯状本体、８９は収容前壁、９０はリブ前壁、９１はリブ左壁、９２は収容後壁、９３は木片収容部、９４はねじ孔、９５は螺子、９６は貫通孔、９７は縦空間、９８は受容部、９９は補強片、１００は凹凸部、１０１乃至１０８はリブ。
【図１】
2010119834.tif 000003
【図２】
2010119834.tif 000004
【図３】
2010119834.tif 000005
【図４】
2010119834.tif 000006
【図５】
2010119834.tif 000007
【図６】
2010119834.tif 000008
【図７】
2010119834.tif 000009
【図８】
2010119834.tif 000010
【図９】
2010119834.tif 000011
【図１０】
2010119834.tif 000012
【図１１】
2010119834.tif 000013
【図１２】
2010119834.tif 000014
【図１３】
2010119834.tif 000015
【図１４】
2010119834.tif 000016
【図１５】
2010119834.tif 000017
【図１６】
2010119834.tif 000018
【図１７】
2010119834.tif 000019